(57)【要約】【課題】  ＩＦ段における急峻なフィルタ特性を維持した上で、回路規模を削減しつつ、アナログテレビジョン放送とデジタルテレビジョン放送との両者を受信できるようにする。【解決手段】  デジタル方式のテレビジョン信号と、アナログ方式のテレビジョン信号との双方を受信可能なテレビジョン受信機において、ＩＦ段におけるデジタル用ＳＡＷフィルタをアナログ用ＳＡＷフィルタ３と共通化し、アナログＳＡＷフィルタ３の位相特性Ｆ１が平坦となる部分Ｗ２の帯域内で、デジタル放送の受信状態が最も良くなるように、中間周波信号の中心周波数を選定する。【選択図】      図１
2006121543.tif 000002
【特許請求の範囲】
【請求項１】
アナログ方式のテレビジョン信号およびデジタル方式のテレビジョン信号の選局を行うチューナと、
前記チューナの後段に接続され、前記アナログ方式のテレビジョン信号に対応して減衰特性が設定されたアナログ用ＳＡＷフィルタと、
前記アナログ用ＳＡＷフィルタを通過したアナログ方式のテレビジョン信号の検波処理を行う検波回路と、
前記アナログ用ＳＡＷフィルタを通過したデジタル方式のテレビジョン信号の復調処理を行う復調部とを備えることを特徴とする受信装置。
【請求項２】
前記アナログ用ＳＡＷフィルタの通過帯域の一部に対応するように、前記デジタル方式のテレビジョン信号の受信帯域が設定されていることを特徴とする請求項１記載の受信装置。
【請求項３】
前記デジタル方式のテレビジョン信号の受信帯域は地上デジタル放送の１〜３セグメント分に対応していることを特徴とする請求項２記載の受信装置。
【請求項４】
前記デジタル方式のテレビジョン信号の受信帯域は前記アナログ用ＳＡＷフィルタの減衰特性および位相特性の平坦な部分に対応するように設定することを特徴とする請求項３記載の受信装置。
【請求項５】
前記チューナに設けられ、第１局部発振信号を受信信号に混合することにより、前記受信信号を第１中間周波信号に変換する第１周波数変換部と、
前記アナログ用ＳＡＷフィルタと前記復調部との間に設けられ、第２局部発振信号を前記第１中間周波信号に混合することにより、前記第１中間周波信号を第２中間周波信号に変換する第２周波数変換部とを備えることを特徴とする請求項１から４のいずれか１項載の受信装置。
【請求項６】
前記復調部にて復調された信号の誤り率を検出する誤り率検出部と、
前記誤り率検出部にて検出された誤り率に基づいて、前記第１局部発振信号および前記第２局部発振信号の局発周波数を制御する局発周波数制御部とを備えることを特徴とする請求項５記載の受信装置。
【請求項７】
前記第１局部発振信号の局発周波数を設定する周波数データを記憶する記憶手段と、
前記記憶手段に記憶された周波数データに基づいて、前記第１局部発振信号および前記第２局部発振信号の局発周波数を制御する局発周波数制御部とを備えることを特徴とする請求項５記載の受信装置。
【請求項８】
前記局発周波数制御部は、前記第１中間周波信号の本来の中心周波数からのずれを補償するように前記第２局部発振信号の局発周波数を設定することを特徴とする請求項６または７記載の受信装置。
【発明の詳細な説明】
【技術分野】
【０００１】
本発明は受信装置に関し、特に、デジタル方式のテレビジョン信号と、アナログ方式のテレビジョン信号との双方を受信可能なテレビジョン受信機に適用して好適なものである。
【背景技術】
【０００２】
デジタルＣＳ（Ｃｏｍｍｕｎｉｃａｔｉｏｎ  Ｓａｔｅｌｌｉｔｅ  ）放送やＢＳ（Ｂｒｏａｄｃａｓｔ  Ｓａｔｅｌｌｉｔｅ  ）放送、デジタル地上波放送等、テレビジョン放送のデジタル化が進められてきており、アナログのテレビジョン放送からデジタルのテレビジョン放送への移行が進められている。
一方、テレビジョン放送のデジタル化が進められても、既存のアナログのテレビジョン放送を直ちに停止することにはならず、アナログのテレビジョン放送からデジタルのテレビジョン放送へ移行する過渡期においては、アナログのテレビジョン放送とデジタルのテレビジョン放送とが共存することになる。
【０００３】
このため、アナログのテレビジョン放送とデジタルのテレビジョン放送との双方が行われるような場合には、アナログテレビジョン放送とデジタルテレビジョン放送との両者が受信できるテレビジョン受像機が要望される。
ここで、特許文献１には、アナログテレビジョン放送とデジタルテレビジョン放送との両者が受信できるテレビジョン受像機において、アナログチューナとデジタルチューナとを共通化することにより、回路規模を削減する方法が開示されている。
【０００４】
すなわち、アナログ放送受信時には選局チャンネル帯域内において平坦な周波数特性を有するアナログ／デジタル共用チューナが設けられる。そして、アナログ／デジタル共用チューナの後段に第１のＳＡＷ（Ｓｕｒｆａｃｅ  Ａｃｏｕｓｔｉｃ  Ｗａｖｅ）フィルタが設けられ、第１のＳＡＷフィルタとアナログ復調回路との間に第２のＳＡＷフィルタが設けられ、第１のＳＡＷフィルタとデジタル復調回路との間に、第３のＳＡＷフィルタが設けられる。アナログ放送受信時には、第１のＳＡＷフィルタと、Ｓ第２のＡＷフィルタとにより、アナログ放送受信時に必要な特性のフィルタが構成される。デジタル放送受信時には、第１のＳＡＷフィルタと第３のＳＡＷフィルタとにより、デジタル放送受信時に必要な特性のフィルタが構成される。
【特許文献１】特開２００３−４４５５７号公報
【発明の開示】
【発明が解決しようとする課題】
【０００５】
しかしながら、特許文献１に開示された方法では、アナログチューナとデジタルチューナとを単に共通化しただけであるため、ＩＦ（中間周波数）段においてＳＡＷフィルタが３個必要となり、サイズ、質量およびコスト面での改善が不充分だった。さらに、ＳＡＷフィルタを縦続接続すると、挿入損失が増えるため、アンプで利得を補償する必要があり、サイズ、質量、コストおよび消費電力の増大を招くという問題があった。
【０００６】
そこで、本発明の目的は、ＩＦ段における急峻なフィルタ特性を維持した上で、回路規模を削減しつつ、アナログテレビジョン放送とデジタルテレビジョン放送との両者を受信することが可能な受信装置を提供することである。
【課題を解決するための手段】
【０００７】
上述した課題を解決するために、本発明の一態様に係る受信装置によれば、アナログ方式のテレビジョン信号およびデジタル方式のテレビジョン信号の選局を行うチューナと、前記チューナの後段に接続され、前記アナログ方式のテレビジョン信号に対応して減衰特性が設定されたアナログ用ＳＡＷフィルタと、前記アナログ用ＳＡＷフィルタを通過したアナログ方式のテレビジョン信号の検波処理を行う検波回路と、前記アナログ用ＳＡＷフィルタを通過したデジタル方式のテレビジョン信号の復調処理を行う復調部とを備えることを特徴とする。
【０００８】
これにより、アナログ用ＳＡＷフィルタを用いることで、デジタル方式のテレビジョン信号に対しても隣接チャンネル妨害を除去することができる。このため、デジタル方式のテレビジョン信号における隣接チャンネル妨害を除去するために、デジタル用ＳＡＷフィルタを別個に設ける必要がなくなり、アナログテレビジョン放送とデジタルテレビジョン放送との両者を受信できるようにした場合においても、ＩＦ段における急峻なフィルタ特性を維持しつつ、回路規模を削減することが可能となる。
【０００９】
また、本発明の一態様に係る受信装置によれば、前記アナログ用ＳＡＷフィルタの通過帯域の一部に対応するように、前記デジタル方式のテレビジョン信号の受信帯域が設定されていることを特徴とする。
これにより、デジタル方式のテレビジョン信号についてのフィルタ処理を行う際に、アナログ用ＳＡＷフィルタの位相特性の平坦な部分を用いることができる。このため、アナログ用ＳＡＷフィルタの位相特性に乱れがある場合においても、デジタル方式のテレビジョン信号の特性が劣化することを抑制することができ、アナログ用ＳＡＷフィルタとデジタル用ＳＡＷフィルタとを共通化することができる。
【００１０】
また、本発明の一態様に係る受信装置によれば、前記デジタル方式のテレビジョン信号の受信帯域は地上デジタル放送の１〜３セグメント分に対応していることを特徴とする。
これにより、地上デジタル放送の受信帯域を４３０ｋＨｚ〜１．３ＭＨｚ程度の範囲内に収めることができる。このため、デジタル方式のテレビジョン信号についてのフィルタ処理を行う際に、アナログ用ＳＡＷフィルタの位相特性の平坦な部分を用いることができ、デジタル方式のテレビジョン信号の特性が劣化することを抑制しつつ、アナログ用ＳＡＷフィルタとデジタル用ＳＡＷフィルタとを共通化することができる。
【００１１】
また、本発明の一態様に係る受信装置によれば、前記デジタル方式のテレビジョン信号の受信帯域は前記アナログ用ＳＡＷフィルタの減衰特性および位相特性の平坦な部分に対応するように設定することを特徴とする。
これにより、音声信号が映像信号に及ぼす影響が軽減されるようにアナログ用ＳＡＷフィルタの減衰特性を設定することが可能となるとともに、デジタル方式のテレビジョン信号についてのフィルタ処理をアナログ用ＳＡＷフィルタにて行った場合においても、デジタル方式のテレビジョン信号の特性が劣化することを抑制することができ、アナログ用ＳＡＷフィルタとデジタル用ＳＡＷフィルタとを共通化することができる。
【００１２】
また、本発明の一態様に係る受信装置によれば、前記チューナに設けられ、第１局部発振信号を受信信号に混合することにより、前記受信信号を第１中間周波信号に変換する第１周波数変換部と、前記アナログ用ＳＡＷフィルタと前記復調部との間に設けられ、第２局部発振信号を前記第１中間周波信号に混合することにより、前記第１中間周波信号を第２中間周波信号に変換する第２周波数変換部とを備えることを特徴とする。
【００１３】
これにより、アナログテレビジョン放送とデジタルテレビジョン放送との両者を受信できる受信機において、アナログ用ＳＡＷフィルタとデジタル用ＳＡＷフィルタとを共通化した場合においても、ダブルスーパー方式のスーパーヘテロダイン受信を行うことが可能となる。
また、本発明の一態様に係る受信装置によれば、前記復調部にて復調された信号の誤り率を検出する誤り率検出部と、前記誤り率検出部にて検出された誤り率に基づいて、前記第１局部発振信号および前記第２局部発振信号の局発周波数を制御する局発周波数制御部とを備えることを特徴とする。
【００１４】
これにより、アナログ用ＳＡＷフィルタの通過帯域のうちデジタル放送の受信品質が最もよくなる部分を使用することができ、アナログ用ＳＡＷフィルタの位相特性に乱れがある場合においても、デジタル方式のテレビジョン信号の特性が劣化することを抑制することができる。
また、本発明の一態様に係る受信装置によれば、前記第１局部発振信号の局発周波数を設定する周波数データを記憶する記憶手段と、前記記憶手段に記憶された周波数データに基づいて、前記第１局部発振信号および前記第２局部発振信号の局発周波数を制御する局発周波数制御部とを備えることを特徴とする。
【００１５】
これにより、アナログ用ＳＡＷフィルタの通過帯域のうちデジタル放送の受信品質が最もよくなる部分を受信機ごとに予め登録することができ、デジタル放送の受信時に受信品質を常に監視することなく、アナログ用ＳＡＷフィルタの通過帯域のうちデジタル放送の受信品質が最もよくなる部分を使用することができる。このため、アナログ用ＳＡＷフィルタとデジタル用ＳＡＷフィルタとを共通化した場合においても、受信処理の負荷を軽減しつつ、デジタル方式のテレビジョン信号の特性が劣化することを抑制することができる。
【００１６】
また、本発明の一態様に係る受信装置によれば、前記局発周波数制御部は、前記第１中間周波信号の本来の中心周波数からのずれを補償するように前記第２局部発振信号の局発周波数を設定することを特徴とする。
これにより、デジタル放送の受信品質が最もよくなるように第１局部発振信号の局発周波数が設定されたために、第１中間周波信号の中心周波数が本来の中心周波数からずれた場合においても、第２中間周波信号の中心周波数を本来の中心周波数に一致させることができる。このため、アナログ用ＳＡＷフィルタとデジタル用ＳＡＷフィルタとを共通化した場合においても、デジタル方式のテレビジョン信号の特性が劣化することを抑制しつつ、復調処理を正常に行わせることができる。
【発明を実施するための最良の形態】
【００１７】
以下、本発明の実施形態に係る受信装置について図面を参照しながら説明する。
図１は、本発明の第１実施形態に係る受信装置の概略構成を示すブロック図である。
図１において、受信装置には、デジタル方式のテレビジョン放送およびアナログ方式のテレビジョン放送の電波を受信するアンテナ１、アナログ方式のテレビジョン信号およびデジタル方式のテレビジョン信号の選局を行うアナログ／デジタル共用チューナ２、アナログ／デジタル共用チューナ２の後段に接続され、アナログ方式のテレビジョン信号に対応して減衰特性が設定されたアナログ用ＳＡＷフィルタ３、アナログ用ＳＡＷフィルタ３を通過したデジタル方式のテレビジョン信号のＯＦＤＭ（Ｏｒｔｈｏｇｏｎａｌ  Ｆｒｅｑｕｅｎｃｙ  Ｄｉｖｉｓｉｏｎ  Ｍｕｔｉｐｌｅｘｉｎｇ）復調処理を行うＯＦＤＭ復調部６、ＭＰＥＧ（Ｍｏｖｉｎｇ  Ｐｉｃｔｕｒｅ  Ｅｘｐｅｒｔｓ  Ｇｒｏｕｐ）方式による復調処理を行うＭＰＥＧ復調部７、アナログ用ＳＡＷフィルタ３を通過したアナログ方式のテレビジョン信号の検波処理を行う検波回路８、テレビジョン放送の音声を出力するスピーカ１２、テレビジョン放送の映像を表示するディスプレイ１３、アナログ用ＳＡＷフィルタ３との接続をＯＦＤＭ復調部６または検波回路８に切り替えるスイッチ４、スピーカ１２への接続をＭＰＥＧ復調部７と検波回路８との間で切り替えるスイッチ１０、ディスプレイ１３への接続をＭＰＥＧ復調部７と検波回路８との間で切り替えるスイッチ１１、アナログ／デジタル共用チューナ２の選局制御およびスイッチ４、１０、１１の切り替え制御を行う制御部９が設けられている。
【００１８】
そして、デジタル方式のテレビジョン信号を受信する場合、制御部９は、ＯＦＤＭ復調部６側にスイッチ４を切り替えるとともに、ＭＰＥＧ復調部７側にスイッチ１０、１１を切り替える。そして、アンテナ１にて受信されたデジタル方式のテレビジョン信号はアナログ／デジタル共用チューナ２に送られる。
そして、アンテナ１から送られたＲＦ（Ｒａｄｉｏ  Ｆｒｅｑｕｅｎｃｙ）信号の中から所望のデジタル放送の搬送周波数信号が選択され、このデジタル放送の搬送周波数信号が中間周波信号に変換される。ここで、アナログ／デジタル共用チューナ２には、局部発振信号を搬送周波数信号に混合することにより、搬送周波数信号を中間周波信号に変換する混合器を設けることができる。そして、制御部９は、局部発振信号の局発周波数を設定し、その局部発振信号と搬送周波数信号とを混合器に混合させることにより、デジタル放送の搬送周波数信号を中間周波信号に変換させることができる。
【００１９】
そして、アナログ／デジタル共用チューナ２にてデジタル放送の搬送周波数信号が中間周波信号に変換されると、アナログ／デジタル共用チューナ２から出力された中間周波信号はアナログ用ＳＡＷフィルタ３に出力される。そして、アナログ用ＳＡＷフィルタ３にて中間周波信号のフィルタ処理が行われ、デジタル放送における隣接チャンネル妨害が除去される。そして、アナログ用ＳＡＷフィルタ３を通過した中間周波信号はスイッチ４を介してＯＦＤＭ復調部６に送られ、ＯＦＤＭ復調部６にて復調処理が行われる。
【００２０】
そして、ＯＦＤＭ復調部６にて復調されたデジタル信号はＭＰＥＧ復調部７に送られ、ＭＰＥＧ復調部７にて映像信号および音声信号に復調される。そして、ＭＰＥＧ復調部７にて復調された音声信号はスイッチ１０を介してスピーカ１２に送られ、スピーカ１２からテレビジョン放送の音声が出力される。また、ＭＰＥＧ復調部７にて復調された映像信号はスイッチ１１を介してディスプレイ１３に送られ、ディスプレイ１３にてテレビジョン放送の映像が表示される。
【００２１】
一方、アナログ方式のテレビジョン信号を受信する場合、制御部９は、検波回路８側にスイッチ４、１０、１１を切り替える。そして、アンテナ１にて受信されたアナログ方式のテレビジョン信号はアナログ／デジタル共用チューナ２に送られる。そして、アンテナ１から送られたＲＦ信号の中から所望のアナログ放送の搬送周波数信号が選択され、このアナログ放送の搬送周波数信号が中間周波信号に変換される。
【００２２】
そして、アナログ／デジタル共用チューナ２にてアナログ放送の搬送周波数信号が中間周波信号に変換されると、アナログ／デジタル共用チューナ２から出力された中間周波信号はアナログ用ＳＡＷフィルタ３に出力される。そして、アナログ用ＳＡＷフィルタ３にて中間周波信号のフィルタ処理が行われ、アナログ放送における隣接チャンネル妨害が除去される。
【００２３】
そして、アナログ用ＳＡＷフィルタ３を通過した中間周波信号はスイッチ４を介して検波回路８に送られ、検波回路８にて検波処理が行われる。そして、検波回路８にて検波された音声信号はスイッチ１０を介してスピーカ１２に送られ、スピーカ１２からテレビジョン放送の音声が出力される。また、検波回路８にて検波された映像信号はスイッチ１１を介してディスプレイ１３に送られ、ディスプレイ１３にてテレビジョン放送の映像が表示される。
【００２４】
これにより、デジタル用ＳＡＷフィルタをアナログ用ＳＡＷフィルタ３と共通化することが可能となり、デジタル方式のテレビジョン信号における隣接チャンネル妨害を除去するために、デジタル用ＳＡＷフィルタを別個に設ける必要がなくなる。このため、アナログテレビジョン放送とデジタルテレビジョン放送との両者を受信できるようにした場合においても、ＩＦ段における急峻なフィルタ特性を維持しつつ、回路規模を削減することが可能となる。
【００２５】
また、デジタル用ＳＡＷフィルタをアナログ用ＳＡＷフィルタ３と共通化することにより、アナログテレビジョン放送とデジタルテレビジョン放送との両者を受信できるようにした場合においても、ＩＦ段のＳＡＷフィルタを１個で済ますことができ、サイズ、質量およびコストを削減することができる。また、ＩＦ段においてＳＡＷフィルタを縦続接続する必要がなくなり、挿入損失を抑制することが可能となる。このため、ＳＡＷフィルタによる挿入損失を補償するためのアンプを新たに追加する必要がなくなり、消費電力の増大を抑制することが可能となる。
【００２６】
ここで、デジタル方式のテレビジョン信号の受信帯域は、アナログ用ＳＡＷフィルタ３の通過帯域の一部に対応するように設定することが好ましい。これにより、デジタル方式のテレビジョン信号についてのフィルタ処理を行う際に、アナログ用ＳＡＷフィルタ３の位相特性の平坦な部分を用いることができる。このため、アナログ用ＳＡＷフィルタ３の位相特性に乱れがある場合においても、デジタル方式のテレビジョン信号の特性が劣化することを抑制することができ、デジタル用ＳＡＷフィルタをアナログ用ＳＡＷフィルタ３と共通化することができる。
【００２７】
図２はＳＡＷフィルタの減衰特性および位相特性を示す図である。なお、図２（ａ）はアナログ用ＳＡＷフィルタの減衰特性Ｇ１および位相特性Ｆ１を示す図、図２（ｂ）はデジタル用ＳＡＷフィルタの減衰特性Ｇ２および位相特性Ｆ２を示す図である。
図２（ａ）において、例えば、日本仕様の場合、アナログ用ＳＡＷフィルタ３の全体の通過帯域幅は約６ＭＨｚである。そして、音声信号が映像信号に及ぼす影響を軽減するために、アナログ用ＳＡＷフィルタ３の減衰特性Ｇ１は、５８．７５ＭＨｚの映像キャリアに対して、５４．２５ＭＨｚの音声キャリアが２０ｄＢ程度減衰されるように設定されている。
【００２８】
ここで、映像キャリアに対して音声キャリアが減衰されるような減衰特性Ｇ１をアナログ用ＳＡＷフィルタ３に持たせると、音声キャリアの周波数の付近で位相特性Ｆ１に乱れが生じるが、アナログ信号の場合では、品位はほとんど劣化することはない。また、減衰特性Ｇ１および位相特性Ｆ１が平坦となる部分Ｗ２は３ＭＨｚ程度確保することができる。
【００２９】
一方、図２（ｂ）において、デジタルＳＡＷフィルタでは、例えば、日本仕様の場合、位相特性Ｆ２の変動によるデジタル信号の特性悪化を防止するため、５７ＭＨｚを中心に減衰特性Ｇ２および位相特性Ｆ２とも平坦になるように設定されている。このため、デジタル信号の帯域とアナログ信号の帯域とが等しい場合、デジタル信号の特性悪化を防止するためには、デジタル用ＳＡＷフィルタをアナログ用ＳＡＷフィルタ３とは別個に設けることが必要である。
【００３０】
しかし、例えば、地上デジタル放送に対応した移動体通信では、１３個あるセグメントのうち１〜３セグメント分が用いられる。このため、地上デジタル放送の帯域Ｗ３は約４３０ＫＨｚから１．３Ｍとなり、地上デジタル放送の帯域Ｗ３をアナログＳＡＷフィルタ３の位相特性Ｆ１の平坦な部分Ｗ２に収めることができる。この結果、地上デジタル放送の帯域Ｗ３をアナログＳＡＷフィルタ３の位相特性Ｆ１の平坦な部分Ｗ２に対応させることが可能となり、デジタル用ＳＡＷフィルタをアナログ用ＳＡＷフィルタ３と共通化した場合においても、デジタル方式のテレビジョン信号の特性が劣化することを抑制することができる。
【００３１】
また、アナログＳＡＷフィルタ３の位相特性Ｆ１が平坦となる部分Ｗ２の帯域内で、デジタル放送の受信状態が最も良くなるように、中間周波信号の中心周波数を選定することができる。さらに、中間周波信号の中心周波数の選定は、製品の工場出荷時に行うことができる。なお、デジタル放送は、テレビジョン放送だけでなく、音声放送の場合にも適用可能である。
【００３２】
図３は、本発明の第２実施形態に係る受信装置の概略構成を示すブロック図である。
図３において、受信装置には、デジタル方式のテレビジョン放送およびアナログ方式のテレビジョン放送の電波を受信するアンテナ２１、アナログ方式のテレビジョン信号およびデジタル方式のテレビジョン信号の選局を行うアナログ／デジタル共用チューナ２２、アナログ／デジタル共用チューナ２２の後段に接続され、アナログ方式のテレビジョン信号に対応して減衰特性が設定されたアナログ用ＳＡＷフィルタ２３が設けられている。ここで、アナログ／デジタル共用チューナ２２には、第１局部発振信号を搬送周波数信号に混合することにより、搬送周波数信号を第１中間周波信号に変換する第１混合器２２ａが設けられている。
【００３３】
また、受信装置には、アナログ用ＳＡＷフィルタ２３を通過した第１中間周波信号に第２局部発振信号を混合することにより、第１中間周波信号を第２中間周波信号に変換する第２混合器２５、第２混合器２５から出力された第２中間周波信号のＯＦＤＭ復調処理を行うＯＦＤＭ復調部２６、ＭＰＥＧ方式による復調処理を行うＭＰＥＧ復調部２７、アナログ用ＳＡＷフィルタ２３を通過したアナログ方式のテレビジョン信号の検波処理を行う検波回路２８、テレビジョン放送の音声を出力するスピーカ３２、テレビジョン放送の映像を表示するディスプレイ３３、アナログ用ＳＡＷフィルタ２３との接続をＯＦＤＭ復調部２６または検波回路２８に切り替えるスイッチ２４、スピーカ３２への接続をＭＰＥＧ復調部２７と検波回路２８との間で切り替えるスイッチ３０、ディスプレイ３３への接続をＭＰＥＧ復調部２７と検波回路２８との間で切り替えるスイッチ３１、アナログ／デジタル共用チューナ２２の選局制御およびスイッチ２４、３０、３１の切り替え制御を行う制御部２９、ＯＦＤＭ復調された信号の誤り率を検出する誤り率検出部３５、誤り率検出部３５にて検出された誤り率に基づいて、第１局部発振信号および第２局部発振信号の局発周波数を制御する局発周波数制御部３６が設けられている。
【００３４】
そして、デジタル方式のテレビジョン信号を受信する場合、制御部２９は、第２混合器２５側にスイッチ２４を切り替えるとともに、ＭＰＥＧ復調部２７側にスイッチ３０、３１を切り替える。そして、アンテナ２１にて受信されたデジタル方式のテレビジョン信号はアナログ／デジタル共用チューナ２２に送られる。そして、アンテナ２１から送られたＲＦ信号の中から所望のデジタル放送の搬送周波数信号が選択され、このデジタル放送の搬送周波数信号が第１中間周波信号に変換される。ここで、制御部２９は、第１局部発振信号および第２局部発振信号の局発周波数を局発周波数制御部３６に設定させ、第１局部発振信号と搬送周波数信号とを第１混合器２２ａに混合させることにより、デジタル放送の搬送周波数信号を第１中間周波信号に変換させる。
【００３５】
そして、第１混合器２２ａにてデジタル放送の搬送周波数信号が第１中間周波信号に変換されると、その第１中間周波信号はアナログ用ＳＡＷフィルタ２３に出力される。そして、アナログ用ＳＡＷフィルタ２３にて第１中間周波信号のフィルタ処理が行われ、デジタル放送における隣接チャンネル妨害が除去される。そして、アナログ用ＳＡＷフィルタ２３を通過した第１中間周波信号はスイッチ２４を介して第２混合器２５に送られ、第１中間周波信号に第２局部発振信号が混合されることにより、第１中間周波信号が第２中間周波信号に変換される。
【００３６】
そして、第１中間周波信号が第２中間周波信号に変換されると、第２中間周波信号はＯＦＤＭ復調部２６に送られ、ＯＦＤＭ復調部２６にて復調処理が行われる。ここで、誤り率検出部３５は、ＯＦＤＭ復調部２６にてＯＦＤＭ復調が行われると、その時の誤り率を検出する。そして、局発周波数制御部３６は、第１局部発振信号を掃引し、誤り率検出部３５にて検出された誤り率に基づいて、第１局部発振信号の局発周波数を制御することにより、受信品質が最もよくなる局発周波数を選択する。ここで、第１局部発振信号を掃引する場合、図２（ａ）の減衰特性Ｇ１が平坦となる部分Ｗ２の帯域内で行うことができる。
【００３７】
そして、局発周波数制御部３６にて第１局部発振信号の局発周波数が選択されると、第１混合器２２ａは、その第１局部発振信号を搬送周波数信号に混合することにより、第１中間周波信号の中心周波数を変化させながら、搬送周波数信号を第１中間周波信号に変換することができる。
これにより、アナログ用ＳＡＷフィルタ２３の通過帯域のうちデジタル放送の受信品質が最もよくなる部分を使用することができ、アナログ用ＳＡＷフィルタ２３の位相特性に乱れがある場合においても、デジタル方式のテレビジョン信号の特性が劣化することを抑制することができる。
【００３８】
また、局発周波数制御部３６は、第１中間周波信号の本来の中心周波数（＝５７ＭＨｚ）からのずれを補償するように第２局部発振信号の局発周波数を設定する。ここで、第１中間周波信号の本来の中心周波数からのずれを補償するように第２局部発振信号の局発周波数を設定する場合、第１局部発振信号と第２局部発振信号とで周波数の変化量は一定となるので、第２局部発振信号の周波数制御を簡単に行うことができる。
【００３９】
そして、局発周波数制御部３６にて第２局部発振信号の局発周波数が制御されると、第２混合器２５は、その第２局部発振信号を搬送周波数信号に混合することにより、第２中間周波信号の中心周波数を変化させながら、第１中間周波信号を第２中間周波信号に変換することができる。
ここで、第１中間周波信号の本来の中心周波数からのずれを補償するように第２局部発振信号の局発周波数を設定することにより、第１中間周波信号の中心周波数が本来の中心周波数からずれた場合においても、第２中間周波信号の中心周波数を本来の中心周波数に一致させることができる。このため、デジタル用ＳＡＷフィルタをアナログ用ＳＡＷフィルタ２３と共通化した場合においても、デジタル方式のテレビジョン信号の特性が劣化することを抑制しつつ、ＯＦＤＭ復調を正常に行わせることができる。
【００４０】
そして、ＯＦＤＭ復調部２６にて復調されたデジタル信号はＭＰＥＧ復調部２７に送られ、ＭＰＥＧ復調部２７にて映像信号および音声信号に復調される。そして、ＭＰＥＧ復調部２７にて復調された音声信号はスイッチ３０を介してスピーカ３２に送られ、スピーカ３２からテレビジョン放送の音声が出力される。また、ＭＰＥＧ復調部２７にて復調された映像信号はスイッチ３１を介してディスプレイ３３に送られ、ディスプレイ３３にてテレビジョン放送の映像が表示される。
【００４１】
一方、アナログ方式のテレビジョン信号を受信する場合、制御部２９は、検波回路２８側にスイッチ２４、３０、３１を切り替える。そして、アンテナ２１にて受信されたアナログ方式のテレビジョン信号はアナログ／デジタル共用チューナ２２に送られる。そして、アンテナ２１から送られたＲＦ信号の中から所望のアナログ放送の搬送周波数信号が選択され、このアナログ放送の搬送周波数信号が中間周波信号に変換される。
【００４２】
そして、アナログ／デジタル共用チューナ２２にてアナログ放送の搬送周波数信号が中間周波信号に変換されると、アナログ／デジタル共用チューナ２２から出力された中間周波信号はアナログ用ＳＡＷフィルタ２３に出力される。そして、アナログ用ＳＡＷフィルタ２３にて中間周波信号のフィルタ処理が行われ、アナログ放送における隣接チャンネル妨害が除去される。
【００４３】
そして、アナログ用ＳＡＷフィルタ２３を通過した中間周波信号はスイッチ２４を介して検波回路２８に送られ、検波回路２８にて検波処理が行われる。そして、検波回路２８にて検波された音声信号はスイッチ３０を介してスピーカ３２に送られ、スピーカ３２からテレビジョン放送の音声が出力される。また、検波回路２８にて検波された映像信号はスイッチ３１を介してディスプレイ３３に送られ、ディスプレイ３３にてテレビジョン放送の映像が表示される。
【００４４】
図４は、本発明の第３実施形態に係る受信装置の概略構成を示すブロック図である。
図４において、受信装置５０には、デジタル方式のテレビジョン放送およびアナログ方式のテレビジョン放送の電波を受信するアンテナ５１、アナログ方式のテレビジョン信号およびデジタル方式のテレビジョン信号の選局を行うアナログ／デジタル共用チューナ５２、アナログ／デジタル共用チューナ５２の後段に接続され、アナログ方式のテレビジョン信号に対応して減衰特性が設定されたアナログ用ＳＡＷフィルタ５３が設けられている。ここで、アナログ／デジタル共用チューナ５２には、第１局部発振信号を搬送周波数信号に混合することにより、搬送周波数信号を第１中間周波信号に変換する第１混合器５２ａが設けられている。
【００４５】
また、受信装置５０には、アナログ用ＳＡＷフィルタ５３を通過した第１中間周波信号に第２局部発振信号を混合することにより、第１中間周波信号を第２中間周波信号に変換する第２混合器５５、第２混合器５５から出力された第２中間周波信号のＯＦＤＭ復調処理を行うＯＦＤＭ復調部５６、ＭＰＥＧ方式による復調処理を行うＭＰＥＧ復調部５７、アナログ用ＳＡＷフィルタ５３を通過したアナログ方式のテレビジョン信号の検波処理を行う検波回路５８、テレビジョン放送の音声を出力するスピーカ６２、テレビジョン放送の映像を表示するディスプレイ６３、アナログ用ＳＡＷフィルタ５３との接続をＯＦＤＭ復調部５６または検波回路５８に切り替えるスイッチ５４、スピーカ６２への接続をＭＰＥＧ復調部５７と検波回路５８との間で切り替えるスイッチ６０、ディスプレイ６３への接続をＭＰＥＧ復調部５７と検波回路５８との間で切り替えるスイッチ６１、アナログ／デジタル共用チューナ５２の選局制御およびスイッチ５４、６０、６１の切り替え制御を行う制御部５９、第１局部発振信号の局発周波数を設定する周波数データを記憶するＲＯＭ６７、ＲＯＭ６７に記憶された周波数データに基づいて、第１局部発振信号および第２局部発振信号の局発周波数を制御する局発周波数制御部６６が設けられている。
【００４６】
そして、受信装置５０の工場出荷時において、デジタル方式のテレビジョン信号を発生させる信号発生器７０をアナログ／デジタル共用チューナ５２に接続するとともに、ＯＦＤＭ復調された信号の誤り率を検出する誤り率検出器７１をＯＦＤＭ復調部５６に接続する。そして、第２混合器５５側にスイッチ５４を切り替えるとともに、信号発生器７０から出力された信号をアナログ／デジタル共用チューナ５２に入力する。そして、局発周波数制御部３６にて第１局部発振信号を掃引させながら、アナログ／デジタル共用チューナ５２、アナログ用ＳＡＷフィルタ５３および第２混合器５５を介し、信号発生器７０から出力された信号をＯＦＤＭ復調部５６に入力させる。
【００４７】
そして、ＯＦＤＭ復調部５６にてＯＦＤＭ復調が行われると、その時の誤り率を誤り率検出器７１にて検出させる。そして、誤り率検出器７１にて検出された誤り率に基づいて、受信品質が最もよくなるように第１局部発振信号の局発周波数を局発周波数制御部６６に制御させる。そして、受信品質が最もよくなる局発周波数を局発周波数制御部６６に選択させ、その時の周波数データをＲＯＭ６７に書き込む。ここで、第１局部発振信号を局発周波数制御部６６に掃引させる場合、図２（ａ）の減衰特性Ｇ１が平坦となる部分Ｗ２の帯域内で行わせることができる。そして、受信品質が最もよくなる局発周波数を指定する周波数データがＲＯＭ６７に書き込まれると、信号発生器７０および誤り率検出器７１を受信装置５０から切り離し、受信装置５０を出荷することができる。
【００４８】
ここで、受信品質が最もよくなる局発周波数は、アナログ用ＳＡＷフィルタ５３個体の特性のバラツキでほぼ決定され、受信環境の影響はほとんどない。このため、受信状況に応じて受信品質が最もよくなるようにその都度局発周波数を適応させることなく、受信品質が最もよくなる局発周波数を決定することができる。
そして、デジタル方式のテレビジョン信号を受信する場合、制御部５９は、第２混合器５５側にスイッチ５４を切り替えるとともに、ＭＰＥＧ復調部５７側にスイッチ６０、６１を切り替える。そして、アンテナ５１にて受信されたデジタル方式のテレビジョン信号はアナログ／デジタル共用チューナ５２に送られる。そして、アンテナ５１から送られたＲＦ信号の中から所望のデジタル放送の搬送周波数信号が選択され、このデジタル放送の搬送周波数信号が第１中間周波信号に変換される。ここで、局発周波数制御部５６は、ＲＯＭ６７に記憶された周波数データに基づいて第１局部発振信号の局発周波数を設定し、第１局部発振信号と搬送周波数信号とを第１混合器５２ａに混合させることにより、デジタル放送の搬送周波数信号を第１中間周波信号に変換させる。
【００４９】
これにより、アナログ用ＳＡＷフィルタ５３の通過帯域のうちデジタル放送の受信品質が最もよくなる部分を受信装置５０ごとにＲＯＭ６７に予め登録することができ、デジタル放送の受信時に受信品質を常に監視することなく、アナログ用ＳＡＷフィルタ５３の通過帯域のうちデジタル放送の受信品質が最もよくなる部分を使用することができる。このため、デジタル用ＳＡＷフィルタをアナログ用ＳＡＷフィルタ５３と共通化した場合においても、受信処理の負荷を軽減しつつ、デジタル方式のテレビジョン信号の特性が劣化することを抑制することができる。
【００５０】
そして、第１混合器５２ａにてデジタル放送の搬送周波数信号が第１中間周波信号に変換されると、その第１中間周波信号はアナログ用ＳＡＷフィルタ５３に出力される。そして、アナログ用ＳＡＷフィルタ５３にて第１中間周波信号のフィルタ処理が行われ、デジタル放送における隣接チャンネル妨害が除去される。そして、アナログ用ＳＡＷフィルタ５３を通過した第１中間周波信号はスイッチ５４を介して第２混合器５５に送られ、第１中間周波信号に第２局部発振信号が混合されることにより、第１中間周波信号が第２中間周波信号に変換される。
【００５１】
ここで、局発周波数制御部６６は、第１中間周波信号の本来の中心周波数（＝５７ＭＨｚ）からのずれを補償するように第２局部発振信号の局発周波数を設定する。なお、第１中間周波信号の本来の中心周波数からのずれを補償するように第２局部発振信号の局発周波数を設定する場合、第１局部発振信号と第２局部発振信号とで周波数の変化量は一定となるので、第２局部発振信号の周波数制御を簡単に行うことができる。
【００５２】
そして、第１中間周波信号が第２中間周波信号に変換されると、第２中間周波信号はＯＦＤＭ復調部５６に送られ、ＯＦＤＭ復調部５６にて復調処理が行われる。そして、ＯＦＤＭ復調部５６にて復調されたデジタル信号はＭＰＥＧ復調部５７に送られ、ＭＰＥＧ復調部５７にて映像信号および音声信号に復調される。そして、ＭＰＥＧ復調部５７にて復調された音声信号はスイッチ６０を介してスピーカ６２に送られ、スピーカ６２からテレビジョン放送の音声が出力される。また、ＭＰＥＧ復調部５７にて復調された映像信号はスイッチ６１を介してディスプレイ６３に送られ、ディスプレイ６３にてテレビジョン放送の映像が表示される。
【００５３】
一方、アナログ方式のテレビジョン信号を受信する場合、制御部５９は、検波回路５８側にスイッチ５４、６０、６１を切り替える。そして、アンテナ５１にて受信されたアナログ方式のテレビジョン信号はアナログ／デジタル共用チューナ５２に送られる。そして、アンテナ５１から送られたＲＦ信号の中から所望のアナログ放送の搬送周波数信号が選択され、このアナログ放送の搬送周波数信号が中間周波信号に変換される。
【００５４】
そして、アナログ／デジタル共用チューナ５２にてアナログ放送の搬送周波数信号が中間周波信号に変換されると、アナログ／デジタル共用チューナ５２から出力された中間周波信号はアナログ用ＳＡＷフィルタ５３に出力される。そして、アナログ用ＳＡＷフィルタ５３にて中間周波信号のフィルタ処理が行われ、アナログ放送における隣接チャンネル妨害が除去される。
【００５５】
そして、アナログ用ＳＡＷフィルタ５３を通過した中間周波信号はスイッチ５４を介して検波回路５８に送られ、検波回路５８にて検波処理が行われる。そして、検波回路５８にて検波された音声信号はスイッチ６０を介してスピーカ６２に送られ、スピーカ６２からテレビジョン放送の音声が出力される。また、検波回路５８にて検波された映像信号はスイッチ６１を介してディスプレイ６３に送られ、ディスプレイ６３にてテレビジョン放送の映像が表示される。
【図面の簡単な説明】
【００５６】
【図１】本発明の第１実施形態に係る受信装置の概略構成を示すブロック図。
【図２】ＳＡＷフィルタの減衰特性および位相特性を示す図。
【図３】本発明の第２実施形態に係る受信装置の概略構成を示すブロック図。
【図４】本発明の第３実施形態に係る受信装置の概略構成を示すブロック図。
【符号の説明】
【００５７】
１、２１、５１  アンテナ、２、２２、５２  アナログ／デジタル共用チューナ、３、２３、５３  アナログ用ＳＡＷフィルタ、４、１０、１１、２４、３０、３１、５４、６０、６１  スイッチ、６、２６、５６  ＯＦＤＭ復調部、７、２７、５７  ＭＰＥＧ復調部、８、２８、５８  検波回路、９、２９、５９  制御部、１２、３２、６２  スピーカ、１３、３３、６３  ディスプレイ、２２ａ、５２ａ  第１混合器、２５、５５  第２混合器、３５  誤り率検出部、３６、６６  局発周波数制御部、５０  受信装置、６７  ＲＯＭ、７０  信号発生器、７１  誤り率検出器
【図１】
2006121543.tif 000003
【図２】
2006121543.tif 000004
【図３】
2006121543.tif 000005
【図４】
2006121543.tif 000006